(57)【要約】      （修正有）【課題】箒やモップ等の清掃具が捕捉した塵埃をより効率よく塵埃を収容し得る塵埃収容器を提供する。【解決手段】収容器本体Ｂの底部Ｂ１における後端部の横方向の両端部付近の対称位置にそれぞれ吸盤部Ｅを有する。収容器本体Ｂを水平な載置面上に載置して吸盤部Ｅが載置面に吸着した状態で、導入端縁部Ｂ５の前縁が載置面に接する。収容器本体Ｂの底部Ｂ１上の塵埃除去板状部Ｃは、塵埃落下孔Ｃ１を多数有する。水平面上の塵埃を、モップの清掃材保持部に保持した清掃材により、導入端縁部Ｂ５の前縁から塵埃除去板状部Ｃ上に導き、埃除去板状部Ｃ上で清掃材保持部に保持した清掃材を往復摺動等させることにより、清掃材が捕捉した塵埃を塵埃落下孔Ｃ１を通じて底部Ｂ１上に分離落下させることができる。【選択図】図３
0003194583.tif 000002
【実用新案登録請求の範囲】
【請求項１】
収容器本体を備える塵埃収容器であって、
前記収容器本体は、底部と、その底部の両側及び後側にそれぞれ立ち上がる両側壁部及び後壁部と、前記底部の前端部を含み少なくとも前方に開放する導入端縁部を有し、
収容器本体を水平な載置面上に載置した状態の塵埃収容器の水平方向の重心位置よりも後方における収容器本体の底部に、載置面に対し吸着し得る吸盤部を有し、
その吸盤部は、収容器本体を水平な載置面上に載置してその載置面に吸着した状態において、前記導入端縁部の前縁がその載置面に接するように設けられていることを特徴とする塵埃収容器。
【請求項２】
上記吸盤部を、収容器本体の底部における後端部に有する請求項１記載の塵埃収容器。
【請求項３】
上記吸盤部を、収容器本体を水平な載置面上に載置した状態の塵埃収容器の水平方向の重心位置よりも後方における収容器本体の底部の少なくとも横方向の両端部付近にそれぞれ有する請求項１又は２記載の塵埃収容器。
【請求項４】
水平方向に広がり、塵埃落下孔を多数有する板状をなす塵埃除去板状部を、上記収容器本体の底部上に有する請求項１乃至３の何れか１項に記載の塵埃収容器。
【請求項５】
上記塵埃除去板状部が、少なくともその前端部において上記底部に対し上下動可能であり、塵埃除去板状部の少なくとも前端部が前記底部に対し上方に離隔した状態で、前記塵埃除去板状部の塵埃落下孔を通じて底部上に落下した塵埃を前方に排出し得る請求項４記載の塵埃収容器。
【考案の詳細な説明】
【技術分野】
【０００１】
本考案は、箒やモップ等の清掃具が捕捉した塵埃を収容し得る塵埃収容器に関する。
【背景技術】
【０００２】
登録実用新案第３００３４１０号公報には、側面にモップを差し入れることのできる開口２が形成され、上面に前記開口２に連通するモップの柄を突出させることのできる切り欠き３が形成されたケース本体１に、該ケース本体１内を上下に仕切る網目部材７を装着したモップの収納ケースが開示されている。
【０００３】
このモップの収納ケースによれば、
「ケース内が網目の部材により上下に仕切られた構造となっているため、使用後のモップを網目の部材により画成されたケースの上部空間に収納する際、或いはケースの上部空間から取り出す際に、該モップが網目の部材によりほぐされ、付着したホコリ、チリ等がある程度強制的に離脱させられる効果がある。
【０００４】
また、上記モップより離脱したホコリ、チリ等は、網目部材を介してケースの下部空間に落下し、モップと接触することがないため、モップへの再付着、或いはモップによるケースからの掃き出しが防止できる効果がある。」
とされている。
【０００５】
しかしながら、使用したモップ或いは箒等の清掃具に付着したホコリ、チリ等については、ある程度強制的に離脱させられるという状態よりも、より効果的に離脱させて効率よく塵埃を収納ケースに収容し得るものとすることが、その後のモップによる清掃効果を高める上では望ましい。
【０００６】
また、箒やモップ等の清掃具が捕捉した塵埃を収容し得るその他の塵埃収容器についても、より効率よく塵埃を収容し得るものとすることが望ましい。
【先行技術文献】
【特許文献】
【０００７】
【特許文献１】登録実用新案第３００３４１０号公報
【考案の概要】
【考案が解決しようとする課題】
【０００８】
本考案は、従来技術における上記のような課題に鑑み行われたものであって、その目的とするところは、箒やモップ等の清掃具が捕捉した塵埃をより効率よく塵埃を収容し得る塵埃収容器を提供することにある。
【課題を解決するための手段】
【０００９】
本考案の塵埃収容器は、次のように表すことができる。
【００１０】
(1) 収容器本体を備える塵埃収容器であって、
前記収容器本体は、底部と、その底部の両側及び後側にそれぞれ立ち上がる両側壁部及び後壁部と、前記底部の前端部を含み少なくとも前方に開放する導入端縁部を有し、
収容器本体を水平な載置面上に載置した状態の塵埃収容器の水平方向の重心位置よりも後方における収容器本体の底部に、載置面に対し吸着し得る吸盤部を有し、
その吸盤部は、収容器本体を水平な載置面上に載置してその載置面に吸着した状態において、前記導入端縁部の前縁がその載置面に接するように設けられていることを特徴とする塵埃収容器。
【００１１】
塵埃収容器の収容器本体を水平な載置面上に載置し、その状態の塵埃収容器の水平方向の重心位置よりも後方における収容器本体の底部に有する吸盤部をその載置面に吸着させることにより、収容器本体の底部の前端部を含み少なくとも前方に開放する導入端縁部の前縁が、その載置面に良好に接し得る。
【００１２】
このように、水平な載置面に導入端縁部の前縁が良好に接する状態でその載置面上に塵埃収容器の収容器本体が載置されて吸盤により載置面に対し固定されるため、作業者が塵埃収容器の収容器本体を直接又は把手若しくは柄等により固定保持しつつ箒やモップ等の清掃具を操作するという煩雑な作業を要せず、箒やモップ等の清掃具が捕捉した塵埃を、載置面に接する導入端縁部の前縁から効率よく収容器本体に収容し得る。
【００１３】
(2) 上記吸盤部を、収容器本体の底部における後端部に有する上記(1)記載の塵埃収容器。
【００１４】
吸盤部を、収容器本体の底部における後端部に有するものとすることにより、収容器本体の底部の前端部を含み少なくとも前方に開放する導入端縁部の前縁が、載置面に良好に接し得るものとすることができる。
【００１５】
(3) 上記吸盤部を、収容器本体を水平な載置面上に載置した状態の塵埃収容器の水平方向の重心位置よりも後方における収容器本体の底部の少なくとも横方向の両端部付近にそれぞれ有する上記(1)又は(2)記載の塵埃収容器。
【００１６】
吸盤部を、収容器本体を水平な載置面上に載置した状態の塵埃収容器の水平方向の重心位置よりも後方における収容器本体の底部の少なくとも横方向の両端部付近にそれぞれ有するものとすることにより、収容器本体の底部の前端部を含み少なくとも前方に開放する導入端縁部の前縁が、横方向の全長にわたり載置面に良好に接する状態が良好に維持され得るものとすることができる。
【００１７】
(4) 水平方向に広がり、塵埃落下孔を多数有する板状をなす塵埃除去板状部を、上記収容器本体の底部上に有する上記(1)乃至(3)の何れか１項に記載の塵埃収容器。
【００１８】
塵埃収容器の収容器本体を水平な載置面上に載置し、その状態の塵埃収容器の水平方向の重心位置よりも後方における収容器本体の底部に有する吸盤部をその載置面に吸着させることにより、収容器本体の底部の前端部を含み少なくとも前方に開放する導入端縁部の前縁が、その載置面に良好に接し得る。
【００１９】
このように、水平な載置面に導入端縁部の前縁が良好に接する状態でその載置面上に塵埃収容器の収容器本体が載置されて吸盤により載置面に対し固定されるため、作業者が塵埃収容器の収容器本体を直接又は把手若しくは柄等により固定保持しつつ箒やモップ等の清掃具を操作するという煩雑な作業を要せず、箒やモップ等の清掃具が捕捉した塵埃を、載置面に接する導入端縁部の前縁から効率よく収容器本体に収容し得ると共に、塵埃を捕捉した状態の箒の穂先やモップの清掃材（モップ糸、不織布、織布等）等の清掃具の清掃部を、収容器本体の底部上の塵埃除去板状部上で往復摺動等させることにより、清掃部が捕捉した塵埃を塵埃落下孔を通じて底部上に分離落下させることができる。
【００２０】
(5) 上記塵埃除去板状部が、少なくともその前端部において上記底部に対し上下動可能であり、塵埃除去板状部の少なくとも前端部が前記底部に対し上方に離隔した状態で、前記塵埃除去板状部の塵埃落下孔を通じて底部上に落下した塵埃を前方に排出し得る上記(4)記載の塵埃収容器。
【考案の効果】
【００２１】
本考案の塵埃収容器によれば、塵埃収容器の収容器本体を水平な載置面上に載置し、その状態の塵埃収容器の水平方向の重心位置よりも後方における収容器本体の底部に有する吸盤部をその載置面に吸着させることにより、収容器本体の底部の前端部を含み少なくとも前方に開放する導入端縁部の前縁が、その載置面に良好に接し得る。この状態でその載置面上に塵埃収容器の収容器本体が載置されて吸盤により載置面に対し固定されるため、作業者が塵埃収容器の収容器本体を直接又は把手若しくは柄等により固定保持しつつ箒やモップ等の清掃具を操作するという煩雑な作業を要せず、箒やモップ等の清掃具が捕捉した塵埃を、載置面に接する導入端縁部の前縁から効率よく収容器本体に収容し得る。
【図面の簡単な説明】
【００２２】
【図１】前方斜視図である。
【図２】塵埃除去板状部が回動した状態の前方斜視図である。
【図３】横方向中央部縦断面図である。
【図４】起立状態の横方向中央部縦断面図である。
【図５】底面図である。
【図６】後方斜視図である。
【考案を実施するための形態】
【００２３】
[1] 本考案の実施の形態を、図面を参照しつつ説明する。
【００２４】
図１乃至図６は何れも本考案の実施の形態の一例としての塵埃収容器に関するものである。
【００２５】
(1) 塵埃収容器Ａは、収容器本体Ｂと塵埃除去板状部Ｃを備える。
【００２６】
(2) 収容器本体Ｂは、底部Ｂ１と、その底部Ｂ１の両側にそれぞれ立ち上がる側壁部Ｂ２と、底部Ｂ１の後側に立ち上がる後壁部Ｂ８と、前記底部Ｂ１の前端部を含み少なくとも前方に開放する合成ゴム等の軟質材料製の縁部Ｂ４を備えた導入端縁部Ｂ５を有する。
【００２７】
収容器本体Ｂの底部Ｂ１における後端部の横方向の両端部付近の対称位置にそれぞれ吸盤部Ｅを有する。各吸盤部Ｅは、合成樹脂からなり、載置面に対し平坦化して減圧密着し得る部分球面状の凹部を下向きに有する
【００２８】
吸盤部Ｅは、収容器本体Ｂを水平な載置面上に載置してその載置面に吸着した状態において、導入端縁部Ｂ５の前縁がその載置面に接するように設けられている。
【００２９】
また収容器本体Ｂは、底部Ｂ１及び両側壁部Ｂ２の後方側３分の１余りの部分、後壁部Ｂ８、及び天板Ｂ６からなる前方開口の箱状部Ｂ３を有する。
【００３０】
側壁部Ｂ２は、収容器本体Ｂ上の塵埃が側方へ離脱することを防ぐものであって、底部Ｂ１の両側の先端を除く全部に有する。側壁部Ｂ２の高さは、前端部から箱状部Ｂ３まで漸次高くなっている。
【００３１】
箱状部Ｂ３は、前方に開口し、後方、両側方及び上下方向において閉塞状をなす。
【００３２】
収容器本体Ｂにおける箱状部Ｂ３の天板Ｂ６には、幅方向の把持用の溝部Ｂ７が形成されている。
【００３３】
収容器本体Ｂは、図４に示されるように、前記導入端縁部Ｂ５が上方に位置して箱状部Ｂ３の後端部が下方に位置して自立し得る起立状態とすることができる。
【００３４】
収容器本体Ｂの高さは底部Ｂ１の前後方向長さよりも短いので、起立状態とすることによりスペースを節約し得る。
【００３５】
(3) 塵埃除去板状部Ｃは、後方に向かってやや上向きに傾斜しつつ水平方向に広がり、楕円形状又はその他の形状の塵埃落下孔Ｃ１を多数有する板状をなし、収容器本体Ｂの底部Ｂ１上に位置する。塵埃除去板状部Ｃの下側の複数個所に、底部Ｂ１上に塵埃除去板状部Ｃの多孔板状部分を支持するための脚部Ｃ２を有する。
【００３６】
塵埃除去板状部Ｃの上側には、塵埃が清掃材から離脱し易くするための段差部Ｃ３を前後方向における数箇所に有する。
【００３７】
(4) 塵埃収容器Ａは、収容器本体Ｂを水平な載置面上に載置し、吸盤部Ｅをその載置面に吸着させた状態において、その水平面上の塵埃を、モップＤの清掃材保持部Ｄ１に保持した清掃材により、導入端縁部Ｂ５の前縁から塵埃除去板状部Ｃ上に導き得るように構成されている。
【００３８】
(5) 塵埃除去板状部Ｃの後部は、箱状部Ｂ３内において上方に空間を有し、塵埃除去板状部Ｃの後端部には、上方に立ち上がる支持部Ｃ４を一体的に有する。
【００３９】
塵埃除去板状部Ｃは、支持部Ｃ４の上端部において収容器本体Ｂの側壁部Ｂ２に対し水平方向回動軸線を有する回動軸Ｃ５を中心として回動し得るように支持されている。
【００４０】
これにより、図２に示されるように塵埃除去板状部Ｃの前部が収容器本体Ｂの底部Ｂ１に対し上下動可能であり、塵埃除去板状部Ｃの前部が収容器本体Ｂの底部Ｂ１に対し上方に離隔した状態で、底部Ｂ１上の塵埃（塵埃除去板状部Ｃの塵埃落下孔Ｃ１を通じて底部Ｂ１上に落下した塵埃）を前方に排出し得る。
【００４１】
図１に示されるように塵埃除去板状部Ｃの前端部が上方に移動していない状態において、塵埃除去板状部Ｃの前端部と収容器本体Ｂの底部Ｂ１の間に若干の隙間を有し、清掃対象面を清掃した清掃具を塵埃除去板状部Ｃ上に導く際に、清掃材が捕捉した塵埃の一部が前記隙間を通じて底部上に分離落下し得る。
【００４２】
(6) 支持部Ｃ４は、収容器本体Ｂが起立状態である場合において塵埃が支持部Ｃ４の上側から下側へ通過し得る透過部Ｃ４ａを有し、その透過部Ｃ４ａは、塵埃除去板状部Ｃの塵埃落下孔Ｃ１よりも大きい。そのため、その塵埃は支持部Ｃ４の透過部Ｃ４ａを透過して箱状部Ｂ３の後端部へと落下し易い。
【００４３】
(7) 塵埃収容器Ａは、収容器本体Ｂを水平な載置面上に載置し、吸盤部Ｅをその載置面に吸着させた状態において、導入端縁部Ｂ５の前縁がその載置面に接し、作業者が塵埃収容器Ａの収容器本体Ｂを固定保持しつつモップＤ等の清掃具を操作するという煩雑な作業を要せず、その水平面上の塵埃を、モップＤの清掃材保持部Ｄ１に保持した清掃材により、導入端縁部Ｂ５の前縁から塵埃除去板状部Ｃ上に導き、その底部Ｂ１上の塵埃除去板状部Ｃ上で、床面等の清掃対象面を拭いたモップＤ（清掃具）の清掃材保持部Ｄ１に保持した清掃材（清掃部。例えばモップ糸、不織布、織布等の拭材。）を往復摺動等させることにより、清掃材が捕捉した塵埃を塵埃落下孔Ｃ１を通じて底部Ｂ１上に分離落下させ、清掃材の塵埃捕捉効率を回復させることができる。
【００４４】
清掃材保持部Ｄ１の底面側に清掃材を保持したモップＤを、前記清掃材において摺動させつつ導入端縁部Ｂ５を経て塵埃除去板状部Ｃ上に移動させ得るので、清掃対象面を拭いたモップＤの清掃材保持部Ｄ１に保持した清掃材に捕捉した塵埃を可及的に離脱させずに効率的に清掃対象面から導入端縁部Ｂ５を経て塵埃除去板状部Ｃまで移動させて、清掃材が捕捉した塵埃を塵埃落下孔Ｃ１を通じて底部Ｂ１上に分離落下させることができる。
【００４５】
次いで収容器本体Ｂを、図４に示すように導入端縁部Ｂ５が上方に位置して箱状部Ｂ３の後端部が下方に位置する起立状態として自立させることにより、支持部Ｃ４により、清掃材を保持したモップＤの清掃材保持部Ｄ１を上向きに支持することができる。
【００４６】
その支持部Ｃ４は、収容器本体Ｂの底部Ｂ１が下方に位置する状態においては箱状部Ｂ３内の後端部よりも前方における塵埃除去板状部Ｃの上側に位置し、収容器本体Ｂが起立状態である場合においては箱状部Ｂ３の後端部の上方に位置する状態となるので、収容器本体Ｂの底部Ｂ１が下方に位置する状態において塵埃落下孔Ｃ１を通じて底部Ｂ１上に分離落下した塵埃が、収容器本体Ｂが起立状態である場合にモップＤの清掃材保持部Ｄ１に保持した清掃材に再付着することが防がれる。
【００４７】
塵埃落下孔Ｃ１を通じて底部Ｂ１上に落下せずに塵埃除去板状部Ｃ上に残留した塵埃が、収容器本体Ｂを起立状態とすることにより支持部Ｃ４上へ落下することがあったとしても、支持部Ｃ４の透過部Ｃ４ａが塵埃除去板状部Ｃの塵埃落下孔Ｃ１よりも大きいため、その塵埃は支持部Ｃ４の透過部Ｃ４ａを透過して箱状部Ｂ３の後端部へと落下し易い。
【００４８】
塵埃除去板状部Ｃは、支持部Ｃ４の上端部において収容器本体Ｂの側壁部Ｂ２に対し水平方向の回動軸線を中心として回動し得るように支持されているので、回動により塵埃除去板状部Ｃの前部を収容器本体Ｂの底部Ｂ１に対し上方に離隔させることにより、底部Ｂ１上の塵埃（塵埃除去板状部Ｃの塵埃落下孔Ｃ１を通じて底部Ｂ１上に落下した塵埃、及び、支持部Ｃ４の透過部Ｃ４ａを透過して箱状部Ｂ３の後端部へと落下した塵埃がある場合はその塵埃）を前方に排出し得る。
【００４９】
[2] 本考案の実施の形態を、上記以外の形態を含めて更に説明する。
【００５０】
(1) 本考案の塵埃収容器は、収容器本体を備えるものであり、例えば、塵取り、塵取り兼用のモップ等収容器とすることができる。
【００５１】
(2) 収容器本体は、底部と、その底部の両側にそれぞれ立ち上がる側壁部と、底部の後側に立ち上がる後壁部と、前記底部の前端部を含み少なくとも前方に開放する導入端縁部を有する。
【００５２】
側壁部は、収容器本体上の塵埃が側方へ離脱することを防ぐものであって、例えば底部の両側の全部に有してもよく、前部を除く部分に有するものであってもよい。
【００５３】
後壁部は、収容器本体上の塵埃が後方へ離脱することを防ぐものである。
【００５４】
導入端縁部の前縁は、例えば載置対象である床面等に接し得る薄板状、ブレード状、先端に向かって漸次薄くなる形状（断面尖端状等）とすることができる。
【００５５】
収容器本体は、底部と両側壁部の少なくとも後方側部分、後壁部、及び天板からなる前方開口の箱状部を有するものとすることができる。
【００５６】
箱状部は、例えば、収容器本体の後部にのみ位置するものとすること、後部から前後方向中間部にわたるものとすること、或いは、後部から前部にわたるものとすることができる。
【００５７】
また収容器本体には、把手や、起立状態とする場合等の必要に応じて傾倒、折り畳み、伸縮、着脱等が可能な柄等が設けられていてもよい。
【００５８】
収容器本体は、前記導入端縁部が上方に位置して後壁部が下方に位置する起立状態とすることができる。
【００５９】
収容器本体の高さが底部の前後方向長さよりも短い（例えば４分の１乃至３分の２、或いは３分の１乃至２分の１）場合、起立状態とすることによりスペースを節約し得る。
【００６０】
起立状態は、例えば、収容器本体が後壁部において水平面上に自立し得るものとすることにより、或いは、収容器本体が箱状部の後端部において他の支持体により支持されることにより、或いは、収容器本体が吊り下げられることにより実現し得るものとすることができる。
【００６１】
(3) 本考案の塵埃収容器は、収容器本体を水平な載置面上に載置した状態の塵埃収容器の水平方向の重心位置よりも後方における収容器本体の底部に、載置面に対し吸着し得る吸盤部を有するものであり、その吸盤部は、収容器本体を水平な載置面上に載置してその載置面に吸着した状態において、導入端縁部の前縁がその載置面に接するように設けられる。
【００６２】
尤も、本考案の塵埃収容器は、必ずしも収容器本体を水平な載置面上に載置して使用することを要するものではない。
【００６３】
吸盤部は、例えば、ゴム又は合成樹脂からなり、載置面に対し平坦化して減圧密着し得る凹部（例えば部分球面状又はそれに近い形状の凹部）を下向きに有するものとすることができる。
【００６４】
このような吸盤部は、収容器本体の底部における後端部に有することが好ましい。
【００６５】
また、このような吸盤部は、収容器本体を水平な載置面上に載置した状態の塵埃収容器の水平方向の重心位置よりも後方における収容器本体の底部の少なくとも横方向の両端部付近（例えば横方向の対称位置）に、それぞれ有することが好ましい。
【００６６】
(4) 本考案の塵埃収容器は、水平方向に広がり、塵埃落下孔を多数有する板状をなす塵埃除去板状部を、収容器本体の底部上に有するものとすることができる。
【００６７】
塵埃除去板状部は、例えば水平であってもよく、緩やかな傾斜や凹凸等を有するものであってもよい。
【００６８】
また塵埃除去板状部は、例えば、全体又は部分が、塵埃落下孔を多数有する板、格子板、網体であるものとすることができる。塵埃除去板状部の上側に、塵埃が清掃材から離脱し易くするための突起部や段差部等を有するものとすることもできる。
【００６９】
このように塵埃除去板状部を有する本考案の塵埃収容器は、収容器本体を水平な載置面上に載置し、その状態の塵埃収容器の水平方向の重心位置よりも後方における収容器本体の底部に有する吸盤部をその載置面に吸着させた状態において、その水平面上の塵埃を、箒の穂先やモップの清掃材等の清掃具の清掃部により、導入端縁部の前縁から塵埃除去板状部上に導き得る。
【００７０】
(5) 塵埃除去板状部は、例えば収容器本体に対し水平方向の回動軸線を中心として回動することにより、或いは例えば収容器本体に対し上下摺動することにより、少なくともその前端部において収容器本体の底部に対し上下動可能であり、塵埃除去板状部の少なくとも前端部が前記底部に対し上方に離隔した状態で、底部上の塵埃（塵埃除去板状部の塵埃落下孔を通じて底部上に落下した塵埃）を前方に排出し得るものとすることができる。
【００７１】
尤も、塵埃除去板状部の塵埃落下孔を通じて底部上に落下した塵埃の排出は、他に排出部を設けて排出することや、塵埃落下孔を通じて排出するようにすることも可能である。
【００７２】
また、塵埃除去板状部の前端部が上方移動していない状態において、塵埃除去板状部の前端部と収容器本体の底部の間に若干の隙間を有し、清掃対象面を清掃した清掃具を塵埃除去板状部上に導く際に、清掃材が捕捉した塵埃の一部が前記隙間を通じて底部上に分離落下し得るものとすることもできる。
【００７３】
(6) 塵埃除去板状部の少なくとも後部は、箱状部内において上方に空間を有し、箱状部内の後端部よりも前方における塵埃除去板状部の上側に支持部を有するものとすることができる。
【００７４】
この支持部は、収容器本体が、導入端縁部が上方に位置して箱状部の後端部が下方に位置する起立状態である場合に、モップ等の清掃具を上向きに支持し得るものである。
【００７５】
支持部は、塵埃除去板状部と一体状をなすもの（例えば、塵埃除去板状部の後端部から上方に立ち上がって支持部を構成するもの）とすることができるが、これに限るものではなく、例えば収容器本体の上部に支持されたものや、収容器本体の側壁部に支持されたものとすることもできる。
【００７６】
支持部は、上記収容器本体が起立状態である場合において塵埃が支持部の上側から下側へ通過し得る透過部を有するものとすることができる。その透過部は、塵埃除去板状部の塵埃落下孔よりも大きいものとすることができるが、これに限るものではない。
【符号の説明】
【００７７】
Ａ      塵埃収容器
Ｂ      収容器本体
Ｂ１    底部
Ｂ２    側壁部
Ｂ３    箱状部
Ｂ４    縁部
Ｂ５    導入端縁部
Ｂ６    天板
Ｂ７    溝部
Ｂ８    後壁部
Ｃ      塵埃除去板状部
Ｃ１    塵埃落下孔
Ｃ２    脚部
Ｃ３    段差部
Ｃ４    支持部
Ｃ４ａ  透過部
Ｃ５    回動軸
Ｄ      モップ
Ｄ１    清掃材保持部
Ｅ      吸盤部
【図３】
0003194583.tif 000003
【図４】
0003194583.tif 000004
【図１】
0003194583.tif 000005
【図２】
0003194583.tif 000006
【図５】
0003194583.tif 000007
【図６】
0003194583.tif 000008